【手続補正書】
【提出日】平成19年12月25日(2007.12.25)
【手続補正１】
【補正対象書類名】明細書
【補正対象項目名】特許請求の範囲
【補正方法】変更
【補正の内容】
【特許請求の範囲】
【請求項１】  回転ディスク（Ｄ）の中に設置される流体のためのミクロ構造において、
該ミクロ構造が、Ｕ字形状体積画定構造（７、１０７）を含み、
該Ｕ字形状体積画定構造（７、１０７）が、
上方端部にて又は上方端部近傍にてエントランスポート（６）へ繋がる第１のアーム（７ａ）であって、その下方端部は、エントランスポート（６）よりもディスク（Ｄ）中心から遠いか、又は、エントランスポート（６）と同じくらいディスク（Ｄ）中心と距離を持つような、第１のアーム（７ａ）と、
上方端部にて又は上方端部近傍にて、第１の廃棄チャネル（８）へ、又はサンプル入口へ即ち流体貯蔵部（６１、１６１）を経由してベント（９’、１０９’）へ繋がる第２のアーム（７ｂ）であって、もし備わるなら該第１の廃棄チャネル（８）は該エントランスポート（６）よりもディスク（Ｄ）の中心から遠い、第２のアーム（７ｂ）と、
上記第１と第２のアーム（７ａ、７ｂ）よりもディスク（Ｄ）の中心から離れて配置され、上記第１と第２のアーム（７ａ、７ｂ）の下方端部と繋がり、Ｕ字形状チャンバ（１０、１１０）の入口アーム（１０ａ、１１０ａ）と該入口アーム（１０ａ、１１０ａ）の上方端部にて又は上方端部近傍にて繋がる、ベース（７ｃ）とを含み、
更に、上記Ｕ字形状チャンバ（１０、１１０）は、ベース（１０ｃ、１１０ｃ）と出口アーム（１０ｂ、１１０ｂ）を含み、
上記ベース（１０ｃ、１１０ｃ）は、上記入口アーム（１０ａ、１１０ａ）の下方端部を上記出口アーム（１０ｂ、１１０ｂ）の下方端部へ繋ぎ、上記出口アーム（１０ｂ、１１０ｂ）は上方端部にて又は上方端部近傍にて第２の廃棄出口（１１）に繋がり、上記ベース（１０ｃ、１１０ｃ）は、上記Ｕ字形状チャンバ（１０、１１０）の上記入口と出口のアーム（１０ａ、１０ｂ；１１０ａ、１１０ｂ）の下方端部よりもディスク（Ｄ）中心から遠いか、又は、同じくらいのディスク（Ｄ）中心からの距離を持つ、
ミクロ構造。
【請求項２】  上記第１の廃棄チャネル（８）にベント（９）が設置されることを特徴とする、
請求項１に記載のミクロ構造。
【請求項３】  第２のアーム（７ｂ）は、ベントへ、即ちサンプル入口（９’、１０９’）へ繋がることを特徴とする、
請求項１に記載のミクロ構造。
【請求項４】  上記第２の廃棄出口（１１）を介する流体の流れの抵抗が、上記第１の廃棄チャネル（８）を介する流体の流れの抵抗よりも大きいことを特徴とする、
請求項１乃至請求項３のうちのいずれか一つに記載のミクロ構造。
【請求項５】  第１のＵ字形状体積画定構造（７、１０７）の長さが、第２のＵ字形状チャンバ構造（１０、１１０）の長さよりも長いことを特徴とする、
請求項１乃至請求項４のうちのいずれか一つに記載のミクロ構造。
【請求項６】  上記チャンバ構造（１０、１１０）が少なくとも一部にてコーティング（７１）で覆われ、該コーティング（７１）はそれに向けられた電磁放射からエネルギを吸収し上記チャンバ構造（１０）を加熱することを特徴とする、
請求項１乃至請求項５のうちのいずれか一つに記載のミクロ構造。
【請求項７】  異なる深さを備え、沈殿物質や他の粒子を捕らえ放つために利用され得る、区分Ｉ、ＩＩ、ＩＩＩ、ＩＶを、上記チャンバ構造（１０、１１０）が有することを特徴とする、
請求項１乃至請求項６のうちのいずれか一つに記載のミクロ構造。
【請求項８】  ベース（１１０ｃ）近傍で上記チャンバ構造（１１０）が、
上記チャンバ構造（１１０）よりも上記ディスク（Ｄ）中央から離れて配置される第２のチャンバ（１３６）にチャネル（１３４）によって繋げられ、
チャンバ（１１０）とチャネル（１３２）との間の接合点にて又は接合点近傍にて、疎水性ブレーク（１３２）が設置されることを特徴とする、
請求項１乃至請求項７のうちのいずれか一つに記載のミクロ構造。
【請求項９】  請求項１乃至請求項８のうちのいずれか一つに係り、チャンバ（１０、１１０）の中に元からの流体を含むミクロ構造を配設するステップと、
上記体積画定構造（７）を、置き換えるべき流体で満たすステップと、
遠心力の下で上記の置き換えるべき流体が上記チャンバの中に入り込み、それと同時にチャンバ（１０）の中の元の流体は、入り込んでくる置き換えるべき流体によってチャンバからの退去を強制されるステップとを含むことを特徴とする、
回転ディスク（Ｄ）の中のチャンバ（１０、１１０）の元からの流体を置き換える方法。
【手続補正２】
【補正対象書類名】明細書
【補正対象項目名】００１９
【補正方法】変更
【補正の内容】
【００１９】
最初の試薬又はサンプル流体Ｘは、流体Ｘソース（図示せず。）を共通環状内側注入チャネル（１）に接続することにより、チャンバ（１０）の中へ注入され得る。その共通環状内側注入チャネル（１）から、毛管作用により、及び／又はディクススピンの際の下方Ｕベンドへの遠心力により、流体Ｘが流れる。共通環状内側注入チャネル（１）の中に注入される流体Ｘの体積が、過剰であるならば（即ち、制限チャネル（１１）のレベル（図１ｄの距離Ｌ４）までのチャンバ（１０）の容積よりも多ければ）、図２に示すように、そのうちのいくらかは輻射状廃棄チャネル（５及び８）を介して廃棄に流れ、残りはチャンバ（１０）を介して制限チャネル（１１）を通り廃棄チャンバ（４）へ流れる。チャンバ（１０）の左手と右手の両方の流体Ｘのレベルが距離Ｌ４と同じになるまで、即ち、Ｕ字形チャンバが制限チャネル（１１）のレベルまで一杯になるまで、このことは継続する。このことは図２ｂに示されており、そこでは過剰分の流体Ｘは、外側廃棄チャネル（２）まで廃棄チャンバ（４）と輻射状廃棄チャネル（５及び８）を介して、若しくは制限チャネル（１１）を介して、マイクロチャネル構造から流出し切っている。
【手続補正３】
【補正対象書類名】明細書
【補正対象項目名】００２０
【補正方法】変更
【補正の内容】
【００２０】
新しい試薬又はサンプル流体Ｙを加える際には、流体Ｙは共通環状内側注入チャネル（１）によって、（又は一方で、図３ａに示すように）更なる注入領域（１３）によって、加えられる。流体Ｙは、図３ａに示すように、毛管作用によって体積画定構造（７）を通過して移動し、廃棄チャネル（５及び８）を下る。体積画定構造のベースと、チャンバのアーム（７ａ）の流体の頂部との間に含まれるエアクッション（１９）が、流体がチャンバ（１０）の中に流れ入るのを防ぐ障壁として作用するので、流体Ｙはチャンバ（１０）の中に流れ込めない。チャンバ（１０）内のＵ字ベンドのベースから制限チャネル（１１）までの距離Ｌ４を、チャンバ（１０）内のＵ字ベンドのベースから体積画定構造（７）のＵ字ベンドのベースまでの距離Ｌ３よりも、小さくすることによって、第１の流体Ｘと第２の流体Ｙとの間でエアクッション（１９）は選択的に残され得る、ということは銘記されるべきことである。
【手続補正４】
【補正対象書類名】明細書
【補正対象項目名】００２１
【補正方法】変更
【補正の内容】
【００２１】
このことにより、第２の流体Ｙが毛管作用によりチャンバ（１０）の中に流れ込むのを防ぐことができ、流体ＸとＹとを混合するのも防ぐことができる。ベント（９）は、大気圧に対してオープンとなっているため、第２の流体が廃棄チャネル（２）に向かって流れることを、より容易なものにする。緩やかな、即ち低速の、ディスクのスピンにより、図３ｂに示すように、廃棄チャネル（８）から過剰流体Ｙが空になり、体積画定構造（７）を流体Ｙで一杯にする。
【手続補正５】
【補正対象書類名】明細書
【補正対象項目名】００２２
【補正方法】変更
【補正の内容】
【００２２】
体積画定構造（７）の中の第２の流体の体積と、第１と第２の流体の間のエアとが、チャンバ（１０）の中の第１の流体Ｘの体積と等しいか、より多ければ、チャンバ（１０）内の第１の流体Ｘの全ては、ディスクをスピンすることにより第２の流体Ｙと置換され得る。体積画定構造（７）の容積をチャンバ（１０）の容積よりも確実に大きくすることによって、このことは達成され得る。体積画定構造（７）のアーム（７ａ）とアーム（７ｂ）をチャンバ（１０）のアームより長くし、及び／又は、体積画定構造（７）のアームの断面領域をチャンバ（１０）のアームの断面領域よりも大きくすることにより、上記のことは達成され得る。ディスクがスピン中であり遠心力が流体Ｙを体積画定構造（７）からチャンバ（１０）の中に流しよって第１の流体Ｘと置き換わりつつあるという、中間状況を、図４ａは示す。その第１の流体は制限チャネル（１１）を介して廃棄へと流れる。過剰分の第２の流体Ｙは、チャンバ（１０）から制限チャネル（１１）を介して廃棄チャンバ（４）の中に流れる。図４ｂは、第２の流体Ｙが第１の流体Ｘと置き換わったことを示す。このプロセスは、異なる流体を利用して、所望の回数だけ繰り返され得る。
【手続補正６】
【補正対象書類名】図面
【補正対象項目名】図１ａ
【補正方法】変更
【補正の内容】
【図１ａ】
2003518250.tif 000001
【手続補正７】
【補正対象書類名】図面
【補正対象項目名】図１ｂ
【補正方法】変更
【補正の内容】
【図１ｂ】
2003518250.tif 000002
【手続補正８】
【補正対象書類名】図面
【補正対象項目名】図１ｃ
【補正方法】変更
【補正の内容】
【図１ｃ】
2003518250.tif 000003
【手続補正９】
【補正対象書類名】図面
【補正対象項目名】図１ｄ
【補正方法】変更
【補正の内容】
【図１ｄ】
2003518250.tif 000004